(57)【要約】【課題】  従来、手先を温めるものとしては、鉄の酸化による発熱を利用したものや燃料を燃やし採温するものがあった。それらは使いきりや、燃料などを補給せずには繰り返し使えないものであった。そこで使いきりでなく、燃料などを補給せずに繰り返し使える採温手段を提供する。【解決手段】  気体を機密性があり伸展性が少なく柔軟かつ強靭なフィルムで封印したことを特徴とする発熱体で、その発熱体を手で握ることにより気体が圧縮され熱が発生すること利用するものである。【選択図】  図１
2005288072.tif 000002
【特許請求の範囲】
【請求項１】
１Ｋｇ／ｃｍ２の圧力を加えた場合の長さ方向の伸び率が１０％以下であり柔軟かつ強靭なフィルムで気体を密封し、圧縮部を設けたことを特徴とするウォーマー。
【請求項２】
約２００ｃ以下１５ｃｃ以上の掌で握る圧縮部を有する、請求項１に記載のウォーマー。
【請求項３】
握った手の指をカバーする部位を形成した請求項２に記載のウォーマー。
【請求項４】
約２０ｃｃ以上の気胞をもって、概略人の足の裏の形に形成されていることを特徴とした請求項１に記載のウォーマー。
【発明の詳細な説明】
【技術分野】
【０００１】  本発明は、簡易に手先または足の裏を温める携帯型ウォーマーに関するものである。
【背景技術】
【０００２】  従来、携帯型の手先を温めるものとしては、鉄の酸化による発熱を利用したものや燃料を燃やすものがあった。それらは使い切りであったり、燃料などを補給せずには繰り返し使えないものであった。
【発明の開示】
【発明が解決しようとする課題】
【０００３】  使い切りでなく、また燃料などを補給せずに繰り返し使える携帯型の採温手段を提供する。
【発明の開示】
【課題を解決するための手段】
【０００４】  本発明は、１Ｋｇ／ｃｍ２の圧力を加えた場合の長さ方向の伸び率が１０％以下であり柔軟かつ強靭なフィルムで気体を密封し、圧縮部を設けたことを特徴とする発熱体で、圧縮部を手で握るあるいは足で踏みつけることにより密封された気体が断熱圧縮され熱エネルギーが発生すること利用するものである。（圧力の単位はＰａを使うべきであるが数値が大きくなり間違いやすくなるのでＫｇ／ｃｍ２を使う）
フィルムの素材は、海辺などで使われるビーチボールのビニールのように弱い力で伸びる素材では充分圧縮されず従ってあまり発熱しないため、１Ｋｇ／ｃｍ２の圧力がかった場合の伸び率は長さ方向で１０％以内であることが望ましい。
また、フィルムの表面から直接採温するため、フィルムの厚さは薄いほうが望ましく、理想的には０．２ｍｍ以下である。【０００５】  請求項２に記載する本発明は、手で握る圧縮部の大きさを約２００ｃｃ以下１５ｃｃ以内に限定することで握り易く、力を入れやすい大きさにしている。
請求項３に記載する本発明は、握った手の指をカバーする部位を形成し、指先を温めやすくしたものである。
請求項４の発明は、概略人の足の裏の形に形成されている約２０ｃｃ以上の気胞を持つことを特徴としたもので、これを素足が直接触れるように足の裏に置き、体重を掛けることで密封された気体が断熱圧縮され熱エネルギーが発生することを利用するものである。気胞の大きさが２０ｃｃより小さいと十分圧縮されず採温に必要な熱エネルギーがあまり発生しない。また、気胞を小さく分けた場合は圧縮が気胞単位になり全体としてみると発熱部が部分的になり、その熱エネルギーが足の指先で発生せず足の指先を温めることが難しくなる。さらに多数の気胞の抗力により圧縮しにくくなり熱も発生しにくい。
【発明の効果】
【０００６】  採温は断熱圧縮で発生する熱エネルギーを利用するもので、フィルムが破れず、気体が漏出しない限り、手で握ることや、足で踏み力を加えることで繰り返し幾度でも使える。
また、本発明を掌で握るときや足で踏むときに体の筋肉をつかうため、筋肉も発熱し体全体が温まるという効果も期待できる。
【発明を実施するための最良の形態】
【実施例１】
【０００７】  以下添付した図面に基づいて、本発明のウォーマーを説明する。なお、これによって発明が限定されるものではない。
図１に示す実施例１によれば、握った手の指をカバーする指カバー部２の空気も、圧縮部１を握ると圧力が高まり温かくなり、その熱がフィルムを通して指を温める。指挿入口３は四指を、親指挿入口４は親指を入れる。親指挿入口４は、右手でも左手でも使えるよう長細い形の挿入口となっている。
なおフィルムは、空気入りの緩衝材などに使われるポリエチレンフィルムで形成しているが、フィルムの素材は機密性があり伸び率が少なく柔軟かつ強靭で人体に害がないものであればポリエチレンのほかポリエステルやＰＥＴ、ナイロンなどの材質でもよい。
また中に入れる気体は空気でよい。空気は、浮き輪やビーチボールのように輸送販売時には空であって使用する者が空気入れ口から直接あるいはストローなどを使って吹き込み、その後密封する構造でもよい。
【実施例２】
【０００８】  図２に示す実施例２は、親指の挿入口をなくして簡易な形とし生産を容易にしたものである。
【実施例３】
【０００９】  図３に示す実施例３は、親指の挿入口４を左右別々の形にしたものの右手用のものである。親指の挿入口４の位置を、右手用と左手用で異なる位置としためそれぞれの手でより使いやすい形となっている。
なお当然ながら左手用はこの図と左右対称の形である。
【実施例４】
【００１０】  図４に示す実施例４は、足用のものの実施例で、この実施例によれば、主に足の踵部にある圧縮部７１の圧縮で、空気通路７２により足先部７３にも同時に圧力がかかり、その圧縮による発熱で足９の指先９１を温める。気胞８は気胞７の圧縮部７１の空気が踏みつけにより排除された場合でもなおクッション性を有するように配置したもので、発熱には直接あまり寄与しない。気胞８の一つ一つの大きさは特に限定していない。
気胞８１は気胞７の内側の上下の面をつないでおり、圧縮部７１の圧縮で足の土踏まずのところの気胞が膨らむことにより気胞６の圧力が上がらず、採温に適する発熱エネルギーが得られないようになることを防止する。
なお、本発明は同一場所で足踏みして採温するにはいいが、本発明を使用しながら歩くには違和感があり、歩きながらの採温には適さない。
【図面の簡単な説明】
【００１１】
【図１】本発明実施例１で、（ア）は本発明の指を挿入する方向から見た図。（イ）はＡ−Ａ’矢視断面図。断面図では密閉されている空気にハッチングを入れている。また手の形の線図をいれている。他の断面図も同じ。
【図２】本発明実施例２で、（ア）は指を挿入する方向から見た図。（イ）は、Ｂ−Ｂ’矢視断面図。
【図３】本発明実施例３で、（ア）は指を挿入する方向から見た本発明。（イ）は、Ｃ−Ｃ’矢視断面図。（ウ）は、Ｄ−Ｄ’矢視断面図。
【図４】本発明実施例４で、（ア）は側断面図。（イ）はＡ−Ａ’矢視断面図で気胞７の配置を示す。なおＡ−Ａ’矢視断面図では、密閉されている空気のハッチングを省略した。
【符号の説明】
【００１２】    １    圧縮部
２    指カバー部
３    指挿入口
４    親指挿入口
５    手
６    気胞
７    足用の気胞
７１  踵部の圧縮部
７２  空気通路
７３  足先部
８    緩衝用気胞
８１  土踏まず部緩衝用気胞
９    足
９１  足の指先
【図１】
2005288072.tif 000003
【図２】
2005288072.tif 000004
【図３】
2005288072.tif 000005
【図４】
2005288072.tif 000006